(57)【要約】【課題】ユーザーが電子日記等の電子データを作成したときに聴いていた音楽等に関連する情報が、その電子データに自動的に貼付されるようにし、電子データの付加価値を高める。【解決手段】  電子日記データ等の電子データをユーザーが作成した際に、ユーザーが聴いていた音楽等についてのオーディオ関連データを取得し、これを電子データに貼付する。また電子データ上に貼付されたオーディオ関連データに対する指定操作に応じてオーディオデータの検索を行い、そのオーディオ関連データによって示される音楽等が再生されたり、或いは音楽販売サイト等から入手できるようにする。【選択図】      図５
2007011452.tif 000002
【特許請求の範囲】
【請求項１】
電子データを作成するデータ作成ステップと、
上記データ作成ステップでの電子データ作成時に再生されていたオーディオデータに関するオーディオ関連データを取得するオーディオ関連データ取得ステップと、
上記データ作成ステップで作成された電子データに、上記オーディオ関連データ取得ステップで取得したオーディオ関連データを貼付する貼付処理ステップと、
をデータ処理装置に実行させるプログラム。
【請求項２】
上記データ作成ステップで作成される電子データは電子日記データであることを特徴とする請求項１に記載のプログラム。
【請求項３】
上記オーディオ関連データ取得ステップでは、外部のオーディオ再生装置から、そのオーディオ再生装置で再生されたオーディオデータについての再生日時情報とオーディオ関連データを含む聴取データを取得し、
上記貼付処理ステップでは、上記データ作成ステップで作成された電子データの作成日時情報と、上記オーディオ関連データ取得ステップで取得された上記聴取データにおける再生日時情報を用いて、上記電子データに、上記聴取データに含まれるオーディオ関連データを貼付する処理を行うことを特徴とする請求項１に記載のプログラム。
【請求項４】
上記電子データ作成ステップでは、作成中の電子データに撮像データを貼付することが可能とされ、
上記オーディオ関連データ取得ステップでは、外部のオーディオ再生装置から、そのオーディオ再生装置で再生されたオーディオデータについての再生日時情報とオーディオ関連データを含む聴取データを取得し、
上記貼付処理ステップでは、さらに、上記データ作成ステップで作成された電子データに貼付された撮像データの撮像日時情報と、上記オーディオ関連データ取得ステップで取得された上記聴取データにおける再生日時情報を用いて、上記電子データに、上記聴取データに含まれるオーディオ関連データを貼付する処理を行うことを特徴とする請求項１に記載のプログラム。
【請求項５】
上記電子データ作成ステップでは、作成中の電子データに撮像データを貼付することが可能とされ、
上記貼付処理ステップでは、さらに、上記データ作成ステップで作成された電子データに貼付された撮像データに貼付されているオーディオ関連データを、上記電子データに貼付する処理を行うことを特徴とする請求項１に記載のプログラム。
【請求項６】
上記電子データに貼付する対象となるオーディオ関連データが複数存在する場合に、貼付するオーディオ関連データを選択する選択ステップを、さらに備えることを特徴とする請求項１に記載のプログラム。
【請求項７】
電子データ作成時に再生されていたオーディオデータに関するオーディオ関連データ、及び／又は電子データに貼付された撮像データの撮像時に再生されていたオーディオデータに関するオーディオ関連データが貼付された電子データを表示させる表示制御ステップと、
表示された電子データに貼付されているオーディオ関連データの指定操作を検出する検出ステップと、
上記検出ステップで上記指定操作が検出されることに応じて、指定操作対象のオーディオ関連データの内容からオーディオデータを検索する検索ステップと、
上記検索ステップで検索されたオーディオデータに関する処理を行う処理ステップと、
をデータ処理装置に実行させるプログラム。
【請求項８】
上記処理ステップでは、上記検索ステップで検索されたオーディオデータの再生要求を行うことを特徴とする請求項７に記載のプログラム。
【請求項９】
上記検索ステップでは、指定操作対象のオーディオ関連データの内容から、該オーディオデータの提供を行う外部サーバを検索するとともに、
上記処理ステップでは、上記外部サーバを提示する処理を行うことを特徴とする請求項７に記載のプログラム。
【請求項１０】
電子データを作成するデータ作成ステップと、
上記データ作成ステップでの電子データ作成時に再生されていたオーディオデータに関するオーディオ関連データを取得するオーディオ関連データ取得ステップと、
上記データ作成ステップで作成された電子データに、上記オーディオ関連データ取得ステップで取得したオーディオ関連データを貼付する貼付処理ステップと、
を備えたことを特徴とするデータ処理方法。
【請求項１１】
電子データ作成時に再生されていたオーディオデータに関するオーディオ関連データ、及び／又は電子データに貼付された撮像データの撮像時に再生されていたオーディオデータに関するオーディオ関連データが貼付された電子データを表示させる表示制御ステップと、
表示された電子データに貼付されているオーディオ関連データの指定操作を検出する検出ステップと、
上記検出ステップで上記指定操作が検出されることに応じて、指定操作対象のオーディオ関連データの内容からオーディオデータを検索する検索ステップと、
上記検索ステップで検索されたオーディオデータに関する処理を行う処理ステップと、
を備えたことを特徴とするデータ処理方法。
【請求項１２】
入力に応じて電子データを作成するデータ作成手段と、
上記データ作成手段による電子データ作成時に再生されていたオーディオデータに関するオーディオ関連データを取得するオーディオ関連データ取得手段と、
上記データ作成手段で作成された電子データに、上記オーディオ関連データ取得手段で取得したオーディオ関連データを貼付する貼付処理手段と、
を備えたことを特徴とするデータ処理装置。
【請求項１３】
電子データ作成時に再生されていたオーディオデータに関するオーディオ関連データ、及び／又は電子データに貼付された撮像データの撮像時に再生されていたオーディオデータに関するオーディオ関連データが貼付された電子データを表示部に表示させる表示制御手段と、
表示された電子データに貼付されているオーディオ関連データの指定操作を検出する検出手段と、
上記検出手段で上記指定操作が検出されることに応じて、指定操作対象のオーディオ関連データの内容からオーディオデータを検索する検索手段と、
上記検索手段で検索されたオーディオデータに関する処理を行う処理手段と、
を備えたことを特徴とするデータ処理装置。
【請求項１４】
記録媒体からオーディオデータを再生する再生手段と、
現在日時を計数する日時計数手段と、
上記再生手段でオーディオデータの再生を行うことに応じて、その再生が行われた再生日時情報を上記日時計数手段から取得し、また再生されたオーディオデータについてのオーディオ関連データを生成し、上記再生日時情報とオーディオ関連データを含む聴取データを生成して保存させる聴取データ生成手段と、
外部機器からの要求に応じて、上記聴取データを送信する送信手段と、
を備えたことを特徴とするオーディオ再生装置。
【発明の詳細な説明】
【技術分野】
【０００１】
本発明は電子データを作成するプログラム、及びプログラムによって実現されるデータ処理装置、データ処理方法に関する。さらに、データ処理装置の処理に好適なオーディオ再生装置に関する。
【背景技術】
【０００２】
【特許文献１】特開２００４−３２１２９号公報
【０００３】
パーソナルコンピュータ等の情報処理装置の普及により、一般ユーザーが各種の電子データを容易に作成できる環境が生まれている。例えば文書データ、表計算データ、図面データ、イラストデータ、画像データなどを、それぞれ任意のアプリケーションソフトウエアを利用して作成したり編集することが容易となっている。
さらに近年では、インターネット等のネットワーク環境が向上したことにもより、一般ユーザーが、作成した電子データを不特定多数の人に公開することも広く行われている。例えば一般にブログと呼ばれている電子日記がある。
電子日記は、ユーザーがテキストデータや画像データを用いて日記データを作成し、それをサーバにアップロードする。すると、ネットワークを介して不特定多数のユーザーがその日記を閲覧することができる。
【発明の開示】
【発明が解決しようとする課題】
【０００４】
ところで近年、一般ユーザーが音楽を聴きながら電子データを作成するという機会が多い。例えばパーソナルコンピュータで音楽を再生させながら、電子日記データを作成するような場合である。
ユーザーにとって好きな音楽は、作業を進める際のＢＧＭ（Back Ground Music）として快適な環境を作り出すが、その時々の気分や状況を反映したり、思い出をよみがえらせるものともなる。
例えば過去に書いた電子日記データを見ているときに、そのときに聴いていた音楽を思い出すと、その電子日記作成時の思い出や感情がより鮮明に思い起こさせるといったことがある。
また、インターネット等を介して電子日記データ等を公開するような場合、その作成者が聴いていた音楽等を閲覧者が知ることができれば、作成者の気持ちや音楽の好みを推し量ることもでき、データ閲覧の楽しみも増す。
【０００５】
そこで本発明は、ユーザーが作成した電子データに、その作成時にユーザーが聴いていた音楽等に関するデータを自動的に貼付するようにし、電子データの付加価値を向上させることを目的とする。
【課題を解決するための手段】
【０００６】
本発明のプログラムは、電子データを作成するデータ作成ステップと、上記データ作成ステップでの電子データ作成時に再生されていたオーディオデータに関するオーディオ関連データを取得するオーディオ関連データ取得ステップと、上記データ作成ステップで作成された電子データに、上記オーディオ関連データ取得ステップで取得したオーディオ関連データを貼付する貼付処理ステップと、をデータ処理装置に実行させるプログラムである。
例えば上記データ作成ステップで作成される電子データは電子日記データである。
即ち、本発明のプログラムによりデータ処理装置で電子データを作成しているときに再生されていた音楽等についてのオーディオ関連データが、自動的に作成した電子データに貼付されるようにする。
【０００７】
また上記オーディオ関連データ取得ステップでは、外部のオーディオ再生装置から、そのオーディオ再生装置で再生されたオーディオデータについての再生日時情報とオーディオ関連データを含む聴取データを取得する。そして上記貼付処理ステップでは、上記データ作成ステップで作成された電子データの作成日時情報と、上記オーディオ関連データ取得ステップで取得された上記聴取データにおける再生日時情報を用いて、上記電子データに、上記聴取データに含まれるオーディオ関連データを貼付する処理を行う。
例えば、本発明のプログラムによりデータ処理装置で電子データを作成しているときに、外部のオーディオ再生装置で音楽等が再生されていた場合でも、その音楽等についてのオーディオ関連データが電子データに貼付できるようにする。そのためには、外部のオーディオ再生装置から上記聴取データを取得するようにすればよい。すると、日時情報の照合により、作成した電子データとオーディオ関連データを対応させることができ、それによって電子データにオーディオ関連データを貼付できる。
【０００８】
また上記電子データ作成ステップでは、作成中の電子データに撮像データを貼付することを可能とする。上記オーディオ関連データ取得ステップでは、外部のオーディオ再生装置から、そのオーディオ再生装置で再生されたオーディオデータについての再生日時情報とオーディオ関連データを含む聴取データを取得する。上記貼付処理ステップでは、さらに、上記データ作成ステップで作成された電子データに貼付された撮像データの撮像日時情報と、上記オーディオ関連データ取得ステップで取得された上記聴取データにおける再生日時情報を用いて、上記電子データに、上記聴取データに含まれるオーディオ関連データを貼付する処理を行う。
即ち電子日記データ等の電子データに撮像データを貼付する場合、その撮像時に聴いていた音楽等についてのオーディオ関連データも、電子データに貼付されるようにする。その場合、聴取データと、撮像データで日時情報を照合することにより、貼付すべきオーディオ関連データを判別し、貼付できる。
【０００９】
また、上記電子データ作成ステップでは、作成中の電子データに撮像データを貼付することを可能とする。上記貼付処理ステップでは、さらに、上記データ作成ステップで作成された電子データに貼付された撮像データに貼付されているオーディオ関連データを、上記電子データに貼付する処理を行う。
即ち、電子データに貼付した撮像データに、撮像時に聴いていた音楽等についてのオーディオ関連データが既に貼付されている場合、そのオーディオ関連データを電子データに貼付する。
【００１０】
また上記電子データに貼付する対象となるオーディオ関連データが複数存在する場合に、貼付するオーディオ関連データを選択する選択ステップを、さらに備えるようにする。
貼付する対象となるオーディオ関連データが複数存在する場合とは、例えば電子データ作成時に複数の曲を再生した場合や、電子データ作成時に聴いていた音楽等についてのオーディオ関連データと、電子データに貼付された撮像データの撮像時に聴いていた音楽等についてのオーディオ関連データが存在する場合、さらには、複数の撮像データを電子データに貼付し、それぞれの撮像データについてオーディオ関連データが存在する場合などである。
これらの場合に、例えばユーザーの操作入力や、事前設定に基づいて貼付するオーディオ関連データを選択する選択ステップを備えるようにする。選択とは、１つのオーディオ関連データを選択する場合、全てのオーディオ関連データを選択する場合、一部の複数のオーディオ関連データを選択する場合など、多様な選択方式が想定される。
【００１１】
また本発明のプログラムは、電子データ作成時に再生されていたオーディオデータに関するオーディオ関連データ、及び／又は電子データに貼付された撮像データの撮像時に再生されていたオーディオデータに関するオーディオ関連データが貼付された電子データを表示させる表示制御ステップと、表示された電子データに貼付されているオーディオ関連データの指定操作を検出する検出ステップと、上記検出ステップで上記指定操作が検出されることに応じて、指定操作対象のオーディオ関連データの内容からオーディオコンテンツファイルを検索する検索ステップと、上記検索ステップで検索されたオーディオコンテンツファイルに関する処理を行う処理ステップとをデータ処理装置に実行させるプログラムである。
上記処理ステップでのオーディオコンテンツファイルに関する処理とは、上記検索ステップで検索されたオーディオデータの再生要求処理である。
又は、上記検索ステップでは、指定操作対象のオーディオ関連データの内容から、該オーディオデータの提供を行う外部サーバを検索するとともに、上記処理ステップでは、上記外部サーバを提示する処理を行う。例えば外部サーバとしての音楽販売サイト等を提示する。
即ち、オーディオ関連データが貼付された電子データを閲覧した場合、そのオーディオ関連データに対する指定操作（例えばクリック操作）をおこなうことで、その閲覧者が、オーディオ関連データで示される音楽等を聴くことができるようにしたり、音楽等のデータを入手できるようにする。
【００１２】
本発明のデータ処理方法は、電子データを作成するデータ作成ステップと、上記データ作成ステップでの電子データ作成時に再生されていたオーディオデータに関するオーディオ関連データを取得するオーディオ関連データ取得ステップと、上記データ作成ステップで作成された電子データに、上記オーディオ関連データ取得ステップで取得したオーディオ関連データを貼付する貼付処理ステップとを備える。
また本発明のデータ処理方法は、電子データ作成時に再生されていたオーディオデータに関するオーディオ関連データ、及び／又は電子データに貼付された撮像データの撮像時に再生されていたオーディオデータに関するオーディオ関連データが貼付された電子データを表示させる表示制御ステップと、表示された電子データに貼付されているオーディオ関連データの指定操作を検出する検出ステップと、上記検出ステップで上記指定操作が検出されることに応じて、指定操作対象のオーディオ関連データの内容からオーディオデータを検索する検索ステップと、上記検索ステップで検索されたオーディオデータに関する処理を行う処理ステップとを備える。
【００１３】
本発明のデータ処理装置は、入力に応じて電子データを作成するデータ作成手段と、上記データ作成手段による電子データ作成時に再生されていたオーディオデータに関するオーディオ関連データを取得するオーディオ関連データ取得手段と、上記データ作成手段で作成された電子データに、上記オーディオ関連データ取得手段で取得したオーディオ関連データを貼付する貼付処理手段とを備える。
また本発明のデータ処理装置は、電子データ作成時に再生されていたオーディオデータに関するオーディオ関連データ、及び／又は電子データに貼付された撮像データの撮像時に再生されていたオーディオデータに関するオーディオ関連データが貼付された電子データを表示部に表示させる表示制御手段と、表示された電子データに貼付されているオーディオ関連データの指定操作を検出する検出手段と、上記検出手段で上記指定操作が検出されることに応じて、指定操作対象のオーディオ関連データの内容からオーディオデータを検索する検索手段と、上記検索手段で検索されたオーディオデータに関する処理を行う処理手段とを備える。
【００１４】
本発明のオーディオ再生装置は、記録媒体からオーディオデータを再生する再生手段と、現在日時を計数する日時計数手段と、上記再生手段でオーディオデータの再生を行うことに応じて、その再生が行われた再生日時情報を上記日時計数手段から取得し、また再生されたオーディオデータについてのオーディオ関連データを生成し、上記再生日時情報とオーディオ関連データを含む聴取データを生成して保存させる聴取データ生成手段と、外部機器からの要求に応じて、上記聴取データを送信する送信手段とを備える。
即ちデータ処理装置で作成された電子データにオーディオ関連データを貼付できるように、聴取データをデータ処理装置に送信できるオーディオ再生装置である。
【００１５】
なお、オーディオ関連データとは、例えば音楽等のオーディオデータの曲名、曲が収められているアルバムのタイトル、演奏者名、作詞作曲者名、楽曲のファイル名、楽曲のＩＤ情報等、聴いていた音楽をユーザーが後の時点で認識したりシステムで楽曲等を同定できるデータである。このオーディオ関連データとしては、オーディオデータ自体、例えば曲の一部などでもよい。
本発明でいう電子データとは、パーソナルコンピュータ等のデータ処理装置を用いてユーザーが作成するデータのことである。例えば各種テキストデータ、電子メールデータ、グラフィックデータ、図面データ、図形データ、統計データ、表計算データ、ホームページデータなども含まれる。また電子データに対するオーディオ関連データの貼付とは、電子データにオーディオ関連データを関連づけて記録することを言い、その貼付記録の形式、ファイルフォーマット、管理形態などが問われるものではない。
【発明の効果】
【００１６】
本発明によれば、電子日記データ等の電子データをユーザーが作成した際に、自動的にユーザーが聴いていた音楽等についてのオーディオ関連データが貼付される。これによって電子データを閲覧するときに曲名等のオーディオ関連データを共に提示し、電子データの付加価値を高めることができる。
また電子データ上に貼付されたオーディオ関連データに対する指定操作により、そのオーディオ関連データによって示される音楽等が再生されたり、或いは音楽販売サイト等から入手できるようにすることで、貼付されたオーディオ関連データの利用価値を高めることもできる。
【発明を実施するための最良の形態】
【００１７】
以下、本発明のプログラム、データ処理方法、データ処理装置の実施の形態を次の順序で説明する。なお実施の形態としては、本発明のプログラムによって動作するパーソナルコンピュータの例で説明する。また電子データの例として電子日記データを挙げる。
また、各実施の形態においては、日記作成・閲覧アプリケーション２３が本発明のプログラムに相当し、日記作成・閲覧アプリケーション２３をインストールしたパーソナルコンピュータ（ＰＣ本体２０）が本発明のデータ処理装置に相当する。また日記作成・閲覧アプリケーション２３に基づいてＰＣ本体２０で実行される処理方法が、本発明のデータ処理方法に相当する。
［１．第１の実施の形態：日記作成時に音楽関連データ貼付］
［２．第２の実施の形態：外部機器の再生にかかる音楽関連データ貼付］
［３．第３の実施の形態：日記作成時に外部機器の再生にかかる音楽関連データ貼付］
［４．第４の実施の形態：日記に貼付した写真に関する音楽関連データ貼付］
［５．第５の実施の形態：音楽関連データが貼付された写真を日記に貼付］
［６．音楽関連データ貼付の事前設定］
［７．日記上の音楽関連データが選択された場合の処理］
［８．実施の形態の効果、変形例及びプログラム］
【００１８】
［１．第１の実施の形態：日記作成時に音楽関連データ貼付］
第１の実施の形態としてユーザーが電子日記データを作成するパーソナルコンピュータシステムを示す。
図１はパーソナルコンピュータシステムとしての構成と、インターネット等のネットワーク１０を介してパーソナルコンピュータシステムと接続されるブログサーバ１を示している。
【００１９】
パーソナルコンピュータシステムは、パーソナルコンピュータ本体２０（以下、ＰＣ本体という）、マウス１１、キーボード１２、モニタ装置１３から成る。もちろんこれ以外に、プリンタ装置、スキャナ装置、通信装置等の各種外部デバイスが接続される場合もある。
ＰＣ本体２０は、ハードウエア構成として、ＣＰＵ（Central Processing Unit）、ＲＯＭ（Read Only Memory）、ＲＡＭ（Random Access Memory）、各種インターフェースユニット等を備えるものであるが、ソフトウエア構成として、図示するＯＳ（Operating System）２１が稼動し、その上で各種アプリケーションが稼働する。例えば文書作成、表計算、描画／作図、会計、ブラウザ、ゲーム、音楽／映像再生などの機能を備えた各種アプリケーションが稼動する。各種のアプリケーションは、ＯＳ２１を介して、キーボード１２やマウス１１からのユーザーの操作を受け付け、処理し、その結果をモニタ装置１３に表示する。
【００２０】
本実施の形態の動作に関係するアプリケーションとしては、図示する再生アプリケーション２２，日記作成・閲覧アプリケーション２３がある。
再生アプリケーション２２は、オーディオコンテンツファイルの再生を行うソフトウエアである。再生アプリケーション２２が起動されることで、モニタ装置１３には音楽再生用のウインドウが表示され、ユーザーは所望の楽曲等を指定して再生させることができる。例えば記録再生部２４の記録メディア２５に記録されているオーディオコンテンツファイルが選択された場合、再生アプリケーション２２は、そのオーディオコンテンツファイルの再生制御を行い、図示しないスピーカ部或いは接続されたヘッドホン等から再生音楽を出力させる。
日記作成・閲覧アプリケーション２３は、電子日記データの閲覧や作成を行うためのアプリケーションである。すなわち日記作成・閲覧アプリケーション２３が起動されることで、ネットワーク１０を介してのブログサーバ１へのアクセスや電子日記データの閲覧や、自分の電子日記データへの日記の書き込み・更新が可能となる。この日記作成・閲覧アプリケーション２３による処理の詳細は後述する。
【００２１】
またＰＣ本体２０内の記憶デバイスとして、記録メディア１２１に対して各種データの記録再生を行う記録再生部１２０が設けられる。例えば記録再生部１２０は、ＨＤＤ（Hard Disc Drive）とされる。
なお、もちろんＨＤＤ以外の、ＣＤ（Compact Disc）、ＭＤ（Mini Disc）、ＤＶＤ（Digital Versatile Disc）、ブルーレイディスク（Blu-Ray Disc）などの光ディスクメディアを用いた光ディスクドライブや、固体メモリ或いは固体メモリを内蔵したメモリカード等に対応する記録再生部などとされてもよい。
またＰＣ本体２０内の通信インターフェースとして、ネットワーク５０を介して外部のウェブサイト等にアクセスするための通信部２７が設けられる。
【００２２】
ブログサーバ１は、電子日記管理システム２により、インターネット等のネットワーク１０を介して多数のユーザーの電子日記データの管理を行う。
ユーザーが作成した電子日記データは、ブログサーバ１にアップロードされ、電子日記管理システム２によって記録再生部３の記録メディア４に格納される。
またユーザーは、ブログサーバ１にアクセスすることで、記録メディア４に格納された他人の電子日記データを閲覧することができる。
電子日記データの例を図３に示す。図３は電子日記データの閲覧画面として、例えばインターネットブラウザ機能によってモニタ装置１３に日記画像３００が表示された例である。日記画像３００では、それまでにユーザーが作成した日記３０１，３０２が所定のレイアウトで表示される。
【００２３】
続いて、図２で本例の特徴的な処理動作、特には日記作成・閲覧アプリケーション２３の制御に基づく日記作成時の処理について説明していく。
図２のステップＦ１０１において日記作成処理として、日記作成・閲覧アプリケーション２３はユーザーの操作に応じて日記データを作成していく処理を行う。
例えば図３に示したような日記閲覧画面からのユーザーのリンク操作に応じて、日記作成時のユーザーインターフェース画面として、図４のような日記作成用画像３１０をモニタ装置１３に表示させる。
この日記作成用画像３１０には、タイトル入力部３１１、本文入力部３１２、貼付する写真（撮像データ）を指定する写真指定部３１３、日記登録操作部３１４等が設けられている。
ユーザーは、このような日記作成用画像３１０に対して入力を行っていく。即ちタイトル入力部３１１に日記のタイトルを記入し、本文入力部３１２に日記の本文を入力する。さらには写真指定部３１３に撮像データファイルを入力すること、日記に写真を貼付することができる。そしてこれらの入力を終えたら、ユーザーは日記登録操作部３１４をクリックする。
【００２４】
ユーザーによる日記登録操作部３１４のクリック操作を検知したら、日記作成・閲覧アプリケーション２３の処理はステップＦ１０２からＦ１０３に進み、このときにオーディオ再生中であるか否かを確認する。即ち日記作成・閲覧アプリケーション２３は、再生アプリケーション２２によってオーディオコンテンツファイルの再生が行われているか否かを確認する。
オーディオ再生が行われていなければ、ステップＦ１０６に進み、今回作成された日記データを記録メディア２５に保存すると共に、通信部２７を介してブログサーバ１にアップロードし、ブログサーバ１の記録メディア４に格納させる。アップロードすることによって、新規に作成した日記データが、不特定多数のユーザーによって、図３のような日記閲覧画面において閲覧することが可能となる。
【００２５】
もしステップＦ１０３でオーディオ再生中であると判断された場合は、ステップＦ１０３からＦ１０４に進む。これは、ユーザーが音楽等を聴きながら図４の日記作成用画像３１０を用いて日記を作成していた場合である。
この場合ステップＦ１０４では、再生中の楽曲等の音楽関連データを取得する。例えば再生されているオーディオコンテンツファイルのヘッダ情報や、オーディオコンテンツファイルを管理するオーディオ管理データ等に記述されている曲名、アルバム名、アーティスト名、オーディオコンテンツファイルのファイル名、コンテンツＩＤなどの情報を取得する。再生アプリケーション２２は、オーディオコンテンツファイルの再生の際に、オーディオ管理データやファイルヘッダ等を記録メディア２５から読み出しているため、日記作成・閲覧アプリケーション２３は、これらの音楽関連データを再生アプリケーション２２から受け取るようにすればよい。或いは直接記録メディア２５をアクセスして音楽関連データを取得してもよい。
【００２６】
続いて日記作成・閲覧アプリケーション２３は、ステップＦ１０５で、音楽関連データを日記データに貼付する。
そしてステップＦ１０６に進み、音楽関連データを貼付した日記データを記録メディア２５に保存すると共に、通信部２７を介してブログサーバ１にアップロードし、ブログサーバ１の記録メディア４に格納させる。
【００２７】
このように音楽関連データを貼付した日記データが作成された場合において、その日記データを閲覧したときの表示例を図５に示す。
日記画像３００内に含まれる日記３０１に音楽関連データが貼付された場合、その音楽関連データの全部又は一部の内容が、日記３０１内の音楽関連データ表示３２０として表示される。ここでは、曲名とアーティスト名を表示している例を示している。
なお、音楽関連データとは、例えば音楽等のオーディオデータの曲名、曲が収められているアルバムのタイトル、演奏者名、作詞作曲者名、楽曲のファイル名、楽曲のＩＤ情報等、聴いていた音楽をユーザーが後の時点で認識したりシステムで楽曲等を同定できるデータ、或いは曲の一部のオーディオデータ自体などであり、日記データに貼付する音楽関連データの内容は多様に考えられる。また、データ上で貼付した音楽関連データを全て音楽関連データ表示３２０として表示する必要はない。
例えば音楽関連データとして日記データに、曲名、アルバムタイトル、演奏者名、作詞作曲者名、ファイル名、ＩＤ情報が貼付されたとして、これら全部を音楽関連データ表示３２０として表示しても良いが、図５のようにこれらのうちで曲名と演奏者名を表示するのみでもよい。
【００２８】
なお、ステップＦ１０３でオーディオ再生中でないとされた場合、つまりユーザーが日記作成中に再生アプリケーション２２による音楽再生を行わせておらず、ステップＦ１０５の音楽関連データ貼付が行われなかった場合は、その日記の閲覧時の表示例として、図６に示すように、音楽関連データが貼付されていないことの表示３２１を行うようにしてもよいし、図３のように音楽関連データに関する表示を何ら行わないようにしてもよい。
【００２９】
［２．第２の実施の形態：外部機器の再生にかかる音楽関連データ貼付］
続いて、本発明の第２の実施の形態を説明する。第２の実施の形態は、ユーザーが日記を作成しながら、外部のオーディオ再生装置、例えば携帯用オーディオプレーヤや家庭用オーディオプレーヤ等で音楽を聴いていた場合でも、その聴いていた音楽等についての音楽関連データを日記データに貼付できるようにする例である。
【００３０】
図７にはＰＣ本体２０を中心としたコンピュータシステム、ブログサーバ１に加えて、オーディオプレーヤ８０を示している。なお、ＰＣ本体が本発明のプログラムによって本発明のデータ処理装置、データ処理方法を実現する実施の形態となるが、オーディオプレーヤ８０は本発明のオーディオ再生装置の実施の形態となる。
【００３１】
ブログサーバ１は図１の場合と同様であるため重複説明を避ける。
図７におけるＰＣ本体２０としては、図１と同一符号を付した説明済みの構成に加え、通信部２６、音楽データ同期アプリケーション２８を示している。
音楽データ同期アプリケーション２８は、ＰＣ本体２０においてＯＳ２１上で稼働するアプリケーションであり、この音楽データ同期アプリケーション１１２は、オーディオプレーヤ８０との通信時に稼働する。
【００３２】
また通信部２６は、ＰＣ本体２０内の通信インターフェースとして外部機器とのデータ通信を行う通信部とされる。通信部２６は、例えばＵＳＢ（Universal Serial Bus）方式の通信インターフェース部として形成される。もちろんＵＳＢに限らず、ＩＥＥＥ（Institute of Electrical and Electronics Engineers）１３９４方式、イーサネット（登録商標）、ワイヤレスＬＡＮ（Local Area Network）、ブルートゥース（Bluetooth）通信などの他の通信インターフェース方式が採用されても良い。
【００３３】
オーディオプレーヤ８０は、例えば携帯用或いは家庭用の再生装置であり、記録メディア８３に対する記録再生部８２，オーディオ再生処理部８４、通信部８５、制御部８１が設けられる。
記録再生部８２は、音楽等のオーディオコンテンツファイルを記録メディア８３から読み出す動作を行う。また記録再生部８２は、後述する聴取データの記録再生を行う。
この記録再生部８２はＨＤＤとして実現できるし、光ディスクを記録メディア８３としたディスクドライブ装置としても実現できる。さらにはメモリカードを記録メディア８３としたメモリカード再生部としてもよい。
【００３４】
オーディオ再生処理部８４は、記録再生部８２によって読み出されたオーディオコンテンツファイルについてのオーディオデータ処理を行う。即ちデータデコード、デジタルオーディオ処理、Ｄ／Ａ変換、アナログオーディオ処理等を行い、アナログオーディオ信号としての再生音声信号を得る。再生音声信号は、例えば接続されたヘッドホン９０によって再生出力される。
通信部８５は、パーソナルコンピュータシステムとのデータ通信を行う。この通信部８５は、例えばＵＳＢ方式の通信インターフェース部として形成される。もちろんＵＳＢに限らず、ＩＥＥＥ１３９４方式、イーサネット、ワイヤレスＬＡＮ、ブルートゥース通信などの他の通信インターフェース方式が採用されても良い。
【００３５】
制御部８１は、オーディオプレーヤ８０の各部の動作をコントロールするＣＰＵ（Central Processing Unit）によって成る。そして動作プログラムによって形成されるソフトウエア機能として、オーディオ再生処理部８４のオーディオ処理動作を制御するオーディオ処理制御部８１ａ、記録再生部８２の記録再生動作を制御する記録再生制御部８１ｂ、後述する聴取データの生成処理を実行する聴取データ処理部８１ｃ、日時を計数する時計部８１ｄ、通信部２７によるデータ通信の制御を行う通信制御部８１ｅを備える。
【００３６】
この図８のシステムでは次のような処理形態を想定する。
ユーザーはオーディオプレーヤ８０で音楽を再生させることができる。そしてオーディオプレーヤ８０の再生音楽を聴きながら、パーソナルコンピュータシステムを用いて日記作成を行う。
ＰＣ本体２０では、日記作成・閲覧アプリケーション２３の処理により、ユーザーの入力操作に応じて日記データを作成するが、作成後の或る時点において、音楽関連データを貼付する処理を行う。この音楽関連データ及びその貼付のために必要な情報として、オーディオプレーヤ８０では音楽再生に応じて聴取データを生成する。そして任意の時点でオーディオプレーヤ８０とＰＣ本体２０のデータ通信が行われ、聴取データがＰＣ本体２０に転送される。ＰＣ本体２０内では、聴取データを用いて、日記データに対する音楽関連データの貼付処理を行う。
【００３７】
まずオーディオプレーヤ８０で生成される聴取データについて説明する。
図８（ａ）は、オーディオプレーヤ８０における記録メディア８３に格納される情報の例を示している。
例えば記録メディア８３には、図８（ａ）に模式的に示すようにオーディオコンテンツファイルＭ１，Ｍ２，Ｍ３・・・として楽曲等のオーディオデータが記録される。各オーディオコンテンツファイルＭ１，Ｍ２，Ｍ３・・・はオーディオ管理データによって管理された状態で格納される。
そしてさらに、オーディオコンテンツファイルの再生に応じて制御部８３が逐次生成・更新する聴取データが格納される。
【００３８】
聴取データの内容の例を図８（ｂ）に示す。聴取データは、或るオーディオコンテンツファイルの再生が行われるたびに、その日時と、そのオーディオコンテンツファイルについての音楽関連データを追加していく情報とされる。
即ち日時情報として、或るオーディオコンテンツファイルの再生を開始した年月日時分秒を聴取開始日時として記憶し、またそのオーディオコンテンツファイルの再生を終了した年月日時分秒を聴取終了日時として記憶する。そして音楽関連データとして、再生したオーディオコンテンツファイルの曲名、アルバム名、演奏者名、ファイル名、コンテンツＩＤその他の情報を付加する。
【００３９】
このような聴取データの生成・更新処理を含む、オーディオプレーヤ８０の制御部８１の処理を図９に示す。
ユーザーが或るオーディオコンテンツファイルの再生を指示する操作を行うと、制御部８１の処理はステップＦ２０１からＦ２０２に進む。このとき時計部８１ｄで計数されている現在日時を聴取開始日時として保存する。そしてステップＦ２０３で、オーディオコンテンツファイルの再生を開始させる。つまり記録再生部に、指定されたオーディオコンテンツファイルの再生を指示すると共に、オーディオ再生処理部８４でのオーディオ処理を指示し、再生音声出力を開始させる。
ステップＦ２０４では、オーディオコンテンツファイルの再生の終了を監視する。再生の終了とは、再生中のオーディオコンテンツファイルの再生演奏が完了した場合か、或いは曲の再生演奏の途中であってもユーザーが再生を停止させたり、頭出し操作などにより他の曲（他のオーディオコンテンツファイル）を指示した場合などで、当該再生中のオーディオコンテンツファイルについての再生が終了される場合を言う。
そして現在のオーディオコンテンツファイルの再生が終了と判断されたら、ステップＦ２０５に進み、制御部８１はその時点で時計部８１ｄで計数されている現在日時を聴取終了日時として保存する。
【００４０】
そしてステップＦ２０６では、制御部８１はそれまで再生していたオーディオコンテンツファイルに関しての聴取データ内容を生成する。即ちステップＦ２０２で保存した聴取開始日時、ステップＦ２０５で保存した聴取終了日時と、音楽関連データを対応させて、聴取データ内容を生成する。音楽関連データは、例えばオーディオ管理データやオーディオコンテンツファイルのヘッダ情報等から取得する。
このステップＦ２０６の処理で、再生された１つのオーディオコンテンツファイル、つまり１曲に関しての聴取データ内容が生成される。
【００４１】
制御部８１は、ステップＦ２０７で次の曲の再生が引き続き行われるか否かを判断する。例えば或る楽曲の再生完了で次の曲の再生が継続される場合、或いはユーザーの頭出し操作などに応じて他の曲の再生に移る場合などは、次の曲の再生が引き続き行われるとして、ステップＦ２０２に戻る。そしてその場合は、次に再生されるオーディオコンテンツファイルについて、ステップＦ２０２〜Ｆ２０６の処理が同様に行われる。
【００４２】
ステップＦ２０７で次の曲の再生が行われないと判断された場合、例えばユーザーが停止操作等で再生自体を終了させた場合や、全曲或いは指定された一部の曲の再生が完了された場合などであって、再生動作自体が終了されたときは、ステップＦ２０８に進み、記録メディア８３における聴取データの更新を行う。
即ちステップＦ２０７で生成した聴取データ内容を、それまで記録メディア８３に記憶されていた聴取データに追加する更新を行う。なお、もちろん記録メディア８３に聴取データ自体が記録されていなければ、新規に聴取データを書き込むことになる。
【００４３】
なお、ステップＦ２０２，Ｆ２０５，Ｆ２０７の処理は、制御部８１の聴取データ処理部８１ｃの機能によって実行され、ステップＦ２０８の処理は、聴取データ処理部８１ｃと記録再生制御部８１ｂの機能によって行われる。
そしてオーディオコンテンツファイルの再生時にこの図９の処理が行われることにより、オーディオコンテンツファイルとしての１曲の再生毎に、聴取データが、その内容が追加的に更新されていくことになるため、聴取データは常に、過去の再生履歴として再生日時と音楽関連データを保存したものとなる。
【００４４】
このオーディオプレーヤ８０がＰＣ本体２０と通信接続されることで、聴取データがＰＣ本体２０に転送される。
図１０に、オーディオプレーヤ８０とＰＣ本体２０が通信可能に接続された際の処理を示す。ＰＣ本体２０側では音楽データ同期アプリケーション２８による処理となり、オーディオプレーヤ８０側では制御部８１による処理となる。
【００４５】
ＰＣ本体２０に対してオーディオプレーヤ８０が接続され、ＰＣ本体２０の通信部１１４と、オーディオプレーヤ８０の通信部８５との間の相互の通信が確立されたら、音楽データ同期アプリケーション２８はステップＦ３０１において、オーディオプレーヤ８０に対して聴取データを要求する送信を行う。
オーディオプレーヤ８０の制御部８１は、ステップＦ３１１で聴取データ要求を受信したら、ステップＦ３１２で記録再生部８２に指示して記録メディア８３から聴取データを読み出させる。そして制御部８１はステップＦ３１３で、記録メディア８３から読み出した聴取データを通信部８５からＰＣ本体２０に対して送信させる。
音楽データ同期アプリケーション２８は、ステップＦ３０２でオーディオプレーヤ８０から送信されてきた聴取データを受信したら、ステップＦ３０３で、受信した聴取データを記録再生部１２０に転送し、記録メディア２５に格納させる。
【００４６】
この図１０の処理が行われ、聴取データがＰＣ本体２０にコピーされることで、ＰＣ本体２０において、オーディオプレーヤ８０でユーザーが再生させた音楽等（オーディオコンテンツファイル）についての再生日時や音楽関連データを得ることができる。
なお、このような聴取データの転送はＰＣ本体２０とオーディオプレーヤ８０が通信可能に接続された際に、自動的に行われればよい。
【００４７】
日記作成・閲覧アプリケーション２３の処理を説明する。
日記作成・閲覧アプリケーション２３による日記作成時の処理は、上記図２と同様でよい。つまり、もし再生アプリケーション２２による処理で音楽等を聴いていれば、日記作成時に音楽関連データが貼付され、再生アプリケーション２２で音楽等を聴いていなければ音楽関連データは貼付されない状態で、日記データが生成される。そして日記データが記録メディア２５に保存され、またブログサーバ１にアップロードされる。従って、もし日記作成中にユーザーがオーディオプレーヤ８０で音楽等を聴いていた場合は、音楽関連データは貼付されない状態で日記データが記録メディア２５に保存されると共にブログサーバ１にアップロードされることになる。
【００４８】
ここで日記作成・閲覧アプリケーション２３は、上記図１０の音楽データ同期アプリケーション２８の処理によってＰＣ本体２０に聴取データを取り込んだ後の時点において、図１１の処理により、音楽関連データの貼付処理を行う。つまり既に作成されている日記データに対して、オーディオプレーヤ８０での聴取状況に応じた音楽関連データの貼付を行う。
【００４９】
日記作成・閲覧アプリケーション２３による図１１の処理を説明する。
図１１のステップＦ４０１として、日記作成・閲覧アプリケーション２３は、上記図１０の処理で記録メディア２５に取り込んだ聴取データから１つの聴取データ内容（１つのオーディオコンテンツファイルについての聴取開始日時、聴取終了日時、音楽関連データ）を取り出し、その聴取データ内容における聴取日時（聴取開始日時及び聴取終了日時）を用いて、過去に作成された日記データを検索する。即ち、聴取日時に作成が行われていた日記データが存在するか否かを検索する。
作成された日記データについては、上述の図２のステップＦ１０６で、記録メディア２５に保存するとともにブログサーバ１にアップロードするため、ステップＦ４０１では、記録メディア２５に保存された日記データについて、その作成日時（保存日時）で検索すればよい。もし、日記作成時に記録メディア２５に保存しない処理方式であれば、ブログサーバ１に接続して日記閲覧を行い、その過去の日記データの日時を確認すればよい。
【００５０】
ステップＦ４０１の検索の結果によりステップＦ４０２で処理を分岐する。
或る１つの聴取データ内容の聴取日時に、作成日時が該当する日記データが存在しなければ、ステップＦ４０２からＦ４１０に進み、全ての聴取データ内容について処理を終えたか否かを確認する。まだ未処理の聴取データ内容が存在すれば、ステップＦ４０１に戻り、次の聴取データ内容を取り出して、同様に検索する。
【００５１】
ステップＦ４０１で、或る１つの聴取データ内容の聴取日時に、作成日時が該当する日記データが検索された場合は、ステップＦ４０２からＦ４０３に進む。そして、その検索された日記データに、既に音楽関連データが貼付されているか否かを確認する。
既に音楽関連データが貼付されている場合とは、検索された日記データが、過去に、この図１１の処理が行われて音楽関連データが貼付されたものである場合や、日記作成時に図２の処理で音楽関連データが貼付された場合などである。
検索された日記データに音楽関連データが貼付されていなければ、ステップＦ４０８に進み、現在処理中の聴取データ内容における音楽関連データを、当該日記データに貼付する処理を行う。つまり日記データを、音楽関連データを貼付した状態に更新する。
そしてステップＦ４０９で、更新した日記データを記録メディア２５に保存する。記録メディア２５で日記データを上書き保存することになる。
そしてステップＦ４１０に進み、他に未処理の聴取データ内容があればステップＦ４０１に戻る。
【００５２】
検索された日記データに音楽関連データが既に貼付されているとステップＦ４０３で判断された場合は、処理をステップＦ４０４に進める。そしてその日記データに貼付されている音楽関連データの全てが、現在処理中の聴取データ内容における音楽関連データと同一であるか否かを確認する。
もし同一であったら、その日記データについては、過去の時点で、この図１１の処理で聴取データの音楽関連データが貼付されたものであるため、今回の音楽関連データの貼付処理は不要であり、ステップＦ４０４からＦ４１０に進む。
【００５３】
ステップＦ４０４で、現在処理中の聴取データ内容における音楽関連データとは異なる音楽関連データが日記データに貼付されていると判断された場合は、ステップＦ４０５に進む。
異なる音楽関連データが貼付されている場合とは、日記データ作成時に、オーディオプレーヤ８０で音楽再生が行われ、かつＰＣ本体２０でも再生アプリケーション２２による音楽再生が行われており、図２の処理で再生アプリケーション２２による再生音楽の音楽関連データが貼付されたような場合がある。或いは、ユーザーが日記データに手動操作で音楽関連データを貼付できるのであれば、ユーザーが任意の音楽関連データを貼付した場合である。なお、後述する第４，第５の実施の形態で述べるが、日記データに貼付した写真データについて、その撮像時に聴いていた音楽等の音楽関連データを、日記データに貼付することもある。そのような貼付写真についての音楽関連データが貼付されていた場合も、異なる音楽関連データが貼付されている状態となる。
【００５４】
処理中の聴取データ内容における音楽関連データとは異なる音楽関連データが既に日記データに貼付されていた場合、ステップＦ４０５で、どの音楽関連データを貼付するかをユーザーに選択させる。
例えばモニタ装置１３に図１２（ａ）のようなウインドウ２００を表示させ、ユーザーの入力を待つ。このウインドウ２００では、既に日記データに音楽の音楽関連データが貼付されていること、及びオーディオプレーヤ８０で聴いていた音楽についての音楽関連データの貼付を行うか否かの回答を求めるメッセージを表示させるとともに、図のように「はい」「いいえ」「両方貼付」のいずれかを選択させるようにする。
なお、ここでは図１２（ａ）のような簡易なウインドウ２００の画像としたが、よりユーザーが選択操作を実行しやすくするため、対象となっている日記データと、既に貼付されている音楽関連データ、及び聴取データ内容における音楽関連データを、それぞれ表示させて、聴取データ内容における音楽関連データを採用するか否かを選択させるようにするとよい。
【００５５】
ユーザーが、新たに音楽関連データを貼付しないことを選択して「いいえ」をクリックした場合は、現在処理中の聴取データ内容についての音楽関連データ貼付処理をおこなわない。つまりステップＦ４０５からＦ４１０に進む。
ユーザーが、既に貼付されている音楽関連データに加えて、新たに音楽関連データを貼付することを選択して「両方貼付」をクリックした場合は、ステップＦ４０５からＦ４０７に進んで、現在処理中の聴取データ内容における音楽関連データを日記データに貼付する処理を行う。つまり処理中の聴取データ内容における音楽関連データを日記データに追加貼付する。そしてステップＦ４０９に進み、更新した日記データを記録メディア２５に上書き保存する。そしてステップＦ４１０に進み、他に未処理の聴取データ内容があればステップＦ４０１に戻る。
【００５６】
ユーザーが、ウインドウ２００において「はい」をクリックした場合は、既に貼付されている音楽関連データに代えて、聴取データ内容としての音楽関連データを貼付する。この場合、ステップＦ４０６で、既に貼付されている音楽関連データのうちで指定された音楽関連データを削除した上で、聴取データ内容における音楽関連データを日記データに貼付する。このとき削除する音楽関連データとしては、図１２（ｂ）のウインドウ２０１をモニタ装置１３に表示させ、ユーザーに指定を求める。このウインドウ２０１の場合は、既に貼付されている音楽関連データについて、音楽関連データ１，音楽関連データ２・・・として個別に指定可能とすると共に、全ての音楽関連データを指定することもできるようにしている。
なお、ここでは図１２（ｂ）のような簡易なウインドウ２０１の画像としたが、よりユーザーが選択操作を実行しやすくするため、対象となっている日記データと、既に貼付されている音楽関連データ、及び聴取データ内容における音楽関連データを、それぞれ表示させたうえで、削除する音楽関連データを選択できるようにするとよい。
そしてステップＦ４０６では、このウインドウ２０１に対してユーザーが指定した音楽関連データを削除した上で、ステップＦ４０８に進み、聴取データ内容における音楽関連データを日記データに貼付することになる。そしてステップＦ４１０に進む。
【００５７】
聴取データにおける全ての聴取データ内容に対してステップＦ４０１〜Ｆ４０９の処理を終えたら、ステップＦ４１０からＦ４１１に進む。ステップＦ４１１では、音楽関連データを貼付した日記データ、つまりステップＦ４０９で記録メディア２５に上書き記録した日記データを、ブログサーバ１にアップロードする。これによって、ブログサーバ１上で日記データが更新される。そして更新された日記データを閲覧したときは、その画像上では図５に示したような音楽関連データ表示３２０が付加されたものとなる。
【００５８】
［３．第３の実施の形態：日記作成時に外部機器の再生にかかる音楽関連データ貼付］
上記第２の実施の形態では、ＰＣ本体２０からみて外部機器であるオーディオプレーヤ８０で再生された音楽の音楽関連データを、聴取データを取得することによって貼付する例を説明したが、オーディオプレーヤ８０とＰＣ本体２０が常時通信可能であれば、図２の処理による日記データ作成中に、オーディオプレーヤ８０での再生音楽の音楽関連データを貼付できる。
【００５９】
例えばＰＣ本体２０とオーディオプレーヤ８０が無線ＬＡＮ通信、ブルートゥース通信、或いはホームネットワークとしてのＬＡＮ構成の機器であって常時通信可能であり、ＰＣ本体２０からオーディオプレーヤ８０に再生しているオーディオコンテンツファイルに関する問い合わせが可能な環境にあれば、図２のステップＦ１０３，Ｆ１０４の処理を、その通信を介して実行すれば良いものとなる。つまり日記作成・閲覧アプリケーション２３は、日記作成時にステップＦ１０３で、外部のオーディオプレーヤ８０に対してオーディオコンテンツファイルの再生を実行しているか否かを問い合わせる。そして再生実行中であれば、ステップＦ１０４で、オーディオプレーヤ８０に対して、再生しているオーディオコンテンツファイルに関する音楽関連データの転送を要求し、転送されてきた音楽関連データを取得すればよい。
そのような処理を行う場合は、上記第２の実施の形態のように聴取データに基づく日記データへの音楽関連データの貼付や、それに応じた日記データの更新は不要となる。
【００６０】
［４．第４の実施の形態：日記に貼付した写真に関する音楽関連データ貼付］
第４の実施の形態として、日記に貼付した写真についても音楽関連データ貼付できるようにする例を説明する。なお、本明細書で言う「写真」とは、デジタルスチルカメラで撮像した静止画像データのことである。
図４の日記作成用画像３１０において説明したように、写真指定部３１３で撮像データファイル（静止画像ファイル等）を指定することで、日記データに写真を貼付することができる。図１３に、写真３３０が貼付された日記３０３を示している。
このように写真が日記データに貼付されている場合、写真の撮像時にユーザーが聴いていた音楽の音楽関連データを貼付することが考えられる。
【００６１】
例えば図７のオーディオプレーヤ８０を携帯用の音楽プレーヤとして考える。
そしてユーザーが、外出先等で、オーディオプレーヤ８０を携帯し、音楽を再生させながら、図示しないデジタルスチルカメラを用いて写真撮像を行うことを想定する。
ユーザーは、デジタルスチルカメラで撮像した写真（撮像データ）については、例えばＵＳＢ通信や、或いは可搬性記録メディアの装填などにより、ＰＣ本体２０における記録メディア２５に保存することができる。
ＰＣ本体２０（日記作成・閲覧アプリケーション２３）は、例えば記録メディア２５に保存された写真を、ユーザーの日記作成操作に応じて、日記データに貼付する。
このような場合に、オーディオプレーヤ８０から聴取データを入手することで、日記データに貼付された写真について、その撮像時に聴いていた音楽の音楽関連データを貼付することができる。
【００６２】
このような処理を、図７のパーソナルコンピュータシステムで実行できる処理として、図１４で説明する。
なお、図１４の処理は、図１０で説明した処理によってオーディオプレーヤ８０から聴取データが転送され、記録メディア２５に保存された後に行われる処理である。そしてこの図１４は基本的には上述した図１１と同様であり、同一処理には同一のステップ番号を付して説明を省略する。
【００６３】
この図１４の場合、ステップＦ４０２で処理対象としている聴取データ内容の聴取日時に対応する日記データが存在しないと判断されたときに、ステップＦ４１２の処理が行われることが図１１と異なる。
ステップＦ４１２では、処理中の聴取データ内容の聴取日時に撮像した写真が貼付された日記データが存在するか否かの検索を行う。
つまり処理対象としている或る聴取データについて、聴取日時が、作成日時と合致する日記データが存在しなかったら、次に、全ての日記データに貼付されている全ての写真について調べ、その撮像日時として、聴取日時に合致するものがあるか否かを確認するものである。
【００６４】
聴取日時に撮像された写真を含む日記データが存在しなければ、その聴取データ内容についての処理は必要ないため、ステップＦ４１２からＦ４１０に進む。
一方、聴取日時に撮像された写真を含む日記データが検索された場合は、ステップＦ４１２からＦ４０８に進み、処理中の聴取データ内容における音楽関連データを日記データ（日記データ上の写真）に貼付する処理を行う。そしてステップＦ４０９で音楽関連データを貼付する更新を行った日記データを記録メディア２５に上書き保存する。
【００６５】
他の処理については図１１と同様である。この図１４の処理を行うことで、日記データに貼付された写真について、その撮像日時にオーディオプレーヤ８０で聴いていた音楽の音楽関連データを貼付することができる。
例えば図１５には、写真に音楽関連データが貼付された日記３０３としての画像例を示している。写真３３０に対して音楽関連データ表示３２２が行われる。
また図１６は、日記３０３の日記データ作成時に聴いていた音楽の音楽関連データが、音楽関連データ表示３２３として表示され、さらに写真３３０の撮像日時にオーディオプレーヤ８０で聴いていた音楽の音楽関連データが、音楽関連データ表示３２２として示されている例を示している。
【００６６】
［５．第５の実施の形態：音楽関連データが貼付された写真を日記に貼付］
上記第４の実施の形態では、ＰＣ本体２０において、日記に貼付した写真に、その撮像時に聴いていた音楽の音楽関連データを貼付する処理例を説明したが、この第５の実施の形態では、既に音楽関連データが貼付された写真（撮像データファイル）がＰＣ本体２０に取り込まれて記録メディア２５に保存された場合について説明する。即ち、日記データ作成時に貼付しようとして選択した写真に、既に音楽関連データを貼付されている場合である。
【００６７】
ここでは第５の実施の形態の処理の説明の前に、例えばデジタルスチルカメラにおいて撮像と共に音楽関連データが撮像データに貼付されるようにした例を図１９、図２０，図２１で説明する。
例えばオーディオ再生機能付きのデジタルスチルカメラを考える。
【００６８】
図１９はオーディオ再生機能付きのカメラ装置１２０の要部の構成を示している。
図１９のカメラ装置１２０においては、制御部１２１、撮像部１２２、オーディオ再生処理部１２３、記録再生部１２４、撮像レンズ機構１２６が設けられる。
撮像部１２２は、撮像レンズ機構１２６から入射される被写体光を受光し、電気信号に変換して各種処理を行い、撮像データを得る。
記録再生部１２４は、記録メディア１２５に対してデータの記録再生を行う。記録メディア１２５としては、光ディスクや不揮発性メモリを内蔵したメモリカードなど、装置に着脱可能な可搬性のメディアでもよいし、ハードディスク（磁気ディスク）、或いは固体メモリなどとして装置に着脱不能に内蔵されるものでもよい。記録再生部１２４は、これらの記録メディア１２５に応じて、データの変復調、エラー訂正コード処理、メディアアクセス処理を行って各種データの記録再生を行う。
記録再生部１２４は、撮像部１２２で得られた撮像データ（静止画データ）を記録メディア１２５に記録する処理を行う。また、記録再生部１２４は、記録メディア１２５に記録された撮像データを図１９には示していない表示部に表示させるために読み出す処理を行う。
また記録メディア１２５にオーディオデータが記録されている場合、記録再生部１２４は記録メディア１２５からオーディオデータを再生する処理も行う。
【００６９】
例えば記録メディア１２５には、図２１（ａ）に模式的に示すように撮像データやオーディオデータが記録できる。撮像データファイルＰＨ１，ＰＨ２，ＰＨ３・・・として、撮像部１２２で得られた撮像データが記録される。各撮像データファイルは、撮像ファイル管理データによる管理された状態で格納される。
またオーディオコンテンツファイルＭ１，Ｍ２，Ｍ３・・・として楽曲等のオーディオデータが記録される。各オーディオコンテンツファイルＭ１，Ｍ２，Ｍ３・・・はオーディオ管理データによって管理された状態で格納される。
撮像データファイルＰＨは、例えばＥｘｉｆ（Exchangeable Image File Format）規格のファイルとされる。データ内容としては、図２１（ｂ）に示すように、ファイルヘッダと、例えばＪＰＥＧ（Joint Photographic Experts Group）方式の圧縮データなどとしての撮像データが含まれる。ファイルヘッダには、ファイル名、データサイズ、ファイル形式、撮像日時などの情報が含まれる。
【００７０】
オーディオ再生処理部１２３は、記録再生部１２４によって読み出されたオーディオコンテンツファイルについてのオーディオデータ処理を行う。即ちデータデコード、デジタルオーディオ処理、Ｄ／Ａ変換、アナログオーディオ処理等を行い、アナログオーディオ信号としての再生音声信号を得る。再生音声信号は、例えば接続されたヘッドホン９０によって再生出力される。
【００７１】
制御部１２１は、カメラ装置１２０の各部の動作をコントロールするＣＰＵによって成る。そして動作プログラムによって形成されるソフトウエア機能として、撮像部１２２の撮像動作を制御する撮像制御部１２１ａ、オーディオ再生処理部１２３のオーディオ処理動作を制御するオーディオ処理制御部１２１ｂ、記録再生部１２４の記録再生動作を制御する記録再生制御部１２１ｃ、後述する音楽関連データの撮像データへの貼付処理を実行する貼付処理部１２１ｄ、日時を計数する時計部１２１ｅを備える。
【００７２】
このようなカメラ装置１２０による撮像時の処理について図２０で説明する。
図示しないシャッタボタンをユーザーが操作すると、それに応じて撮像部１２６で被写体画像を取り込む撮像処理が行われる。制御部１２１（撮像制御部１２１ａ）はステップＦ７０１として、シャッタ操作に応じて撮像部１２２を制御し、撮像処理、つまり静止画データの取込処理を実行させる。
このときステップＦ７０２で制御部１２１は、そのシャッタ操作時点（撮像時点）でオーディオ再生中であるか否かを判断し、処理を分岐する。
オーディオ再生中でなければ、ステップＦ７０６で、制御部１２１（撮像制御部１２１ａ）は、撮像部１２２で取り込んだ撮像データのファイル化を実行させる。即ち、ファイル名、時計部１２１ｅで得られる日時情報（年月日時分秒）、ファイル形式等のヘッダ情報を撮像部１２２に与え、また撮像データについての圧縮エンコードを実行させ、例えば図２１（ｂ）のような撮像データファイルとしてのデータを生成させる。
そして制御部１２１（撮像制御部１２１ａ及び記録再生制御部１２１ｃ）は、ステップＦ７０５で、撮像データファイルを記録メディア１２５に記録させる。即ち撮像部１２２で生成させた撮像データファイルとしてのデータを記録再生部１２４に転送させ、メディア種別に応じた記録用のエンコード処理等を実行させて記録メディア１２５に記録させる。
【００７３】
一方、ステップＦ７０２でオーディオ再生中であると判断されたら、ステップＦ７０３に進む。オーディオ再生中とは、記録再生制御部１２１ｃ及びオーディオ処理制御部１２１ｂの制御に基づいて、記録再生部１２４が記録メディア１２５からオーディオコンテンツファイルを読み出し、オーディオ再生処理部１２３がオーディオ処理を行って再生音声を出力している場合、つまりユーザーが音楽等を聴いている場合である。
この場合は、制御部１２１（貼付処理部１２１ｄ）はステップＦ７０３で、再生中の楽曲等の音楽関連データを取得する。例えば図２１に示したオーディオ管理データ、或いはオーディオコンテンツファイルのヘッダ情報等に記述されている曲名、アルバム名、アーティスト名などの情報やオーディオコンテンツファイルとしてのファイル名やコンテンツＩＤなどの情報を取得する。制御部２１は、オーディオ管理データやファイルヘッダは、オーディオ再生に先だって記録メディア１２５から読み出しているため、それらの管理データ内容から、音楽関連データを取得することができる。
ステップＦ７０４では、制御部１２１（撮像制御部１２１ａ及び貼付処理部１２１ｄ）は、撮像データファイルを生成させるが、このときに音楽関連データを貼付する。
即ち、撮像データのファイル名、時計部１２１ｅで得られる日時情報（年月日時分秒）、ファイル形式等のヘッダ情報を撮像部１２２に与え、また撮像データについての圧縮エンコードを実行させる。さらにステップＦ７０３で取得した音楽関連データを撮像部１２２に与え、撮像データファイルに貼付させる。これにより例えば図２１（ｃ）のような内容の撮像データファイルを生成させる。つまり撮像データに、そのとき聴いていた音楽についての音楽関連データを付加したものである。
そして制御部１２１（撮像制御部１２１ａ及び記録再生制御部１２１ｃ）は、ステップＦ７０５で、撮像データファイルを記録メディア１２５に記録させる。即ち撮像部１２２で生成させた撮像データファイルとしてのデータを記録再生部１２４に転送させ、メディア種別に応じた記録用のエンコード処理等を実行させて記録メディア１２５に記録させる。これによって図２１（ｃ）のような撮像データファイルが記録されることになる。
【００７４】
以上のように、カメラ装置１２０を用い、ユーザーが音楽等を聴きながら写真撮影操作を行った場合、取り込まれた撮像データに対して聴いていた音楽等についての音楽関連データが貼付されて記録メディア１２５に保存される。
そして、このカメラ装置１２０とＰＣ本体２０が接続され、例えばＵＳＢ通信等で撮像データファイルをＰＣ本体２０転送すれば、ＰＣ本体２０の記録メディア２５には、既に音楽関連データが貼付された写真（撮像データファイル）が取り込まれることになる。
つまり、ユーザーが日記データを作成する際に、そのような写真を日記に貼付する写真として選択すれば、既に音楽関連データが貼付された写真が、日記データに貼付されることになるが、その際に、その音楽関連データを日記データに貼付すべきか否かが、日記作成・閲覧アプリケーション２３の処理で判断される。
【００７５】
なお、写真に音楽関連データが貼付されるのは、上記のカメラ装置１２０によるものだけでなく、多様に考えられる。例えば単にＰＣ本体２０の記録メディア２５に保存されている写真について、上述したオーディオプレーヤ８０から聴取データを取得し、聴取データ内容の聴取日時と撮像データファイルにおける撮像日時を比較して、聴取データ内容に合致した撮像データファイルがあれば、それに聴取データ内容における音楽関連データを貼付するような処理も可能である。
【００７６】
第５の実施の形態としての日記作成・閲覧アプリケーション２３の処理を図１７，図１８で説明する。
図１７は日記データ作成時の処理を示している。なおステップＦ５０１〜Ｆ５０５は図２のステップＦ１０１〜Ｆ１０５と同様であるため詳細な説明を省略するが、日記作成時にオーディオ再生中であることが検出されたら、ステップＦ５０４，Ｆ５０５で、再生されていた音楽の音楽関連データを日記データに貼付するものである。
【００７７】
ステップＦ５０６では、ユーザーが作成して登録操作した日記データに写真が貼付されているか否かを判断する。写真が貼付されていなければ、ステップＦ５０８に進み、作成された日記データを記録メディア２５に保存するとともにブログサーバ１にアップロードして処理を終える。
日記データに１又は複数の写真が貼付されていた場合は、ステップＦ５０７で、その写真についての音楽関連データに関する処理を行う。
このステップＦ５０７の処理を図１８（ａ）に詳しく示す。
【００７８】
図１８（ａ）のステップＦ６０１として、日記作成・閲覧アプリケーション２３は、日記データに貼付された写真の１つについて、その写真に音楽関連データが貼付されているか否かを確認する。
写真に音楽関連データが貼付されていなければ、ステップＦ６０８に進み、日記データには他にも写真が貼付されているか否かを確認する。他に貼付された写真が存在しなければ、図１８（ａ）の処理、即ち図１７のステップＦ５０７の処理を終える。
他にも写真が貼付されていれば、ステップＦ６０１に戻り、その写真について、音楽関連データが貼付されているか否かを確認することになる。
【００７９】
ステップＦ６０１で、日記データに貼付された或る写真に音楽関連データが貼付されていると判断された場合は、ステップＦ６０２に進み、その日記データに既に音楽関連データが貼付されているか否かを確認する。つまり図１７のステップＦ５０５で音楽関連データが貼付されたか否かの確認である。
日記データに音楽関連データが貼付されていなければ、ステップＦ６０３に進み、写真に貼付されている音楽関連データを、そのまま日記データに貼付する。そしてステップＦ６０８に進む。
つまり、日記作成時点で音楽再生が行われておらず、図１７の処理がステップＦ５０３→Ｆ５０６→Ｆ５０７と進んだ場合であり、この場合は、写真に貼付されていた音楽関連データ、つまり写真の撮像日時にユーザーが聴いていた音楽の音楽関連データが日記データに貼付されることになる。
【００８０】
一方、ステップＦ６０２で、既に日記データに音楽関連データが貼付されていると判断される場合、即ち図１７の処理がステップＦ５０３→Ｆ５０４→Ｆ５０５→Ｆ５０６→Ｆ５０７と進んでいた場合は、ステップＦ６０４に進む。ステップＦ６０４では、日記データに貼付されている音楽関連データが、写真に貼付された音楽関連データと同一であるか否かを確認する。
もし同一であったら、改めて貼付する必要はないため、ステップＦ６０４からＦ６０８に進む。
【００８１】
ステップＦ６０４で、写真に貼付されている音楽関連データとは異なる音楽関連データが日記データに貼付されていると判断された場合は、ステップＦ６０５に進む。
ステップＦ６０５では、どの音楽関連データを貼付するかをユーザーに選択させる。
例えばモニタ装置１３に図１８（ｂ）のようなウインドウ２０２を表示させ、ユーザーの入力を待つ。このウインドウ２０２では、既に日記データに音楽の音楽関連データが貼付されていること、及びその音楽関連データに代えて写真に貼付された音楽関連データを貼付するか否かの回答を求めるメッセージを表示させるとともに、図のように「はい」「いいえ」「両方貼付」のいずれかを選択させるようにする。
なお、ここでは図１８（ｂ）のような簡易なウインドウ２０２の画像としたが、よりユーザーが選択操作を実行しやすくするため、日記データに既に貼付されている音楽関連データ、及び写真に貼付された音楽関連データを、それぞれ表示させて、どれを最終的に日記に貼付する音楽関連データとして採用するかを選択させるようにするとよい。
【００８２】
ユーザーが、写真に貼付された音楽関連データを日記データに貼付しないことを選択して「いいえ」をクリックした場合は、写真に貼付された音楽関連データについては特に処理は不要なため、ステップＦ６０５からＦ６０８に進む。
ユーザーが、既に貼付されている音楽関連データに加えて、写真の音楽関連データも貼付することを選択して「両方貼付」をクリックした場合は、ステップＦ６０５からＦ６０７に進んで、日記データに写真に貼付された音楽関連データを日記データに貼付する処理を行う。そしてステップＦ６０８に進む。
【００８３】
ユーザーが、ウインドウ２０２において「はい」をクリックした場合は、既に貼付されている音楽関連データに代えて、写真に貼付された音楽関連データを貼付する。この場合、まずステップＦ６０６で、既に貼付されている音楽関連データのうちで指定された音楽関連データを削除する。このとき削除する音楽関連データとしては、上記した図１２（ｂ）のウインドウ２０１をモニタ装置１３に表示させ、ユーザーに指定を求めればよい。
そしてステップＦ６０３に進み、写真に貼付されている音楽関連データを日記データに貼付してステップＦ６０８に進む。
【００８４】
作成された日記データに貼付された全ての写真について、ステップＦ６０１〜Ｆ６０７の処理を終えたら、ステップＦ６０８から図１８（ａ）の処理、つまり図１７のステップＦ５０７の処理を終える。
そして図１７のステップＦ５０８に進み、作成した日記データを記録メディア２５に記録すると共に、ブログサーバ１にアップロードする。
このような図１７，図１８（ａ）の処理によって、日記データに貼付した写真に既に、その撮像時の再生音楽の音楽関連データが貼付されている場合も、その音楽関連データが、日記作成時の再生音楽の音楽関連データとともに、或いは選択されて、日記データに貼付される。
【００８５】
［６．音楽関連データ貼付の事前設定］
ところで上記図１４（或いは図１１）のステップＦ４０５では、図１２（ａ）のウインドウ２００により、日記データに貼付する音楽関連データをユーザーに選択させる処理を説明した。
また図１８（ａ）のステップＦ６０５でも、図１８（ｂ）のウインドウ２０２により、日記データに貼付する音楽関連データをユーザーに選択させるものとした。
これらのように逐次ユーザーに選択を求めるような処理の他に、ユーザーの事前設定により、貼付する音楽関連データを判断するようにしてもよい。
【００８６】
例えば図２２には、事前設定画像２０４としての例を示す。この事前設定画像２０４は、日記作成時に聴いていた音楽の音楽関連データと、日記に貼付した写真の撮像日時に聴いていた音楽の音楽関連データのどちらを優先して日記データに貼付するかを、ユーザーが事前に選択するようにした例である。
日記作成・閲覧アプリケーション２３は、この事前設定画像２０４によるユーザー入力を記憶しておく。そしてユーザーがチェックボックス２０５をチェックしていた場合は、日記作成時に聴いていた音楽の音楽関連データを常に優先して日記データに貼付するようにする。つまり日記作成時の再生音楽の音楽関連データが貼付されている場合は、その日記データに貼付された写真に音楽関連データが貼付されていても、それを無視する。
またユーザーがチェックボックス２０６をチェックしていた場合は、写真撮像時に聴いていた音楽の音楽関連データを常に優先して日記データに貼付するようにする。つまり日記データに貼付した写真に音楽関連データが貼付されている場合は、それを優先して日記データに貼付し、他の音楽関連データは削除する。
【００８７】
例えばこのような事前設定をユーザーに実行させ、音楽関連データの貼付処理の際の判断に用いるようにすれば、ユーザーに逐次選択を要求しなくとも、適切な音楽関連データの貼付処理を実行できる。
【００８８】
［７．日記上の音楽関連データが選択された場合の処理］
以上では、日記データに音楽関連データを貼付する処理について説明してきた。ここでは日記閲覧時に、例えば図５の音楽関連データ表示３２０のようにして日記内に表示される音楽関連データを、閲覧しているユーザーが選択操作した場合について説明する。例えば音楽関連データ表示３２０がクリック可能とされ、ユーザーがその音楽関連データ表示３２０の部分をクリックした場合である。
なお、ブログサーバ１にアップロードされた日記データは不特定多数のユーザーが閲覧できる。従って、音楽関連データ表示のクリックを行う機会のあるユーザーとは、その日記を作成した本人の場合もあるし、他人の場合もある。
【００８９】
図２３は、日記作成・閲覧アプリケーション２３の日記閲覧時の処理として示している。
ステップＦ８００は、ブログサーバ１にアクセスして日記閲覧を行う処理を示している。日記作成・閲覧アプリケーション２３は、ブログサーバ１の本人或いは他人の日記ページにアクセスし、モニタ装置１３上に図５のような日記画像３００を表示させる。
この図２３では、閲覧中のユーザーが、音楽関連データ表示３２０の部分をクリックした場合の処理をステップＦ８０１以降として示している。
【００９０】
音楽関連データ表示３２０の部分がクリックされたら、日記作成・閲覧アプリケーション２３はまずステップＦ８０２として、そのクリックされた音楽関連データの内容を取得する。そしてステップＦ８０３で、音楽関連データの内容、例えば曲名或いはオーディオコンテンツファイルのファイル名、或いはコンテンツＩＤなどの情報を用いて、記録メディア２５に保存しているオーディオコンテンツファイルの検索を行う。
この検索によって該当するオーディオコンテンツファイルが見つかった場合は、処理をステップＦ８０４からＦ８０５に進め、そのオーディオコンテンツファイルを再生するように再生アプリケーション２２に依頼する。
これに応じて再生アプリケーション２２が起動され、該当するオーディオコンテンツファイルの再生が開始される。
【００９１】
この処理により、本人が作成した日記を閲覧中のユーザーは、日記作成時に聴いていた音楽を聴きながら、日記を読み直すことができる。つまり日記作成時の状況を音楽と共に思い起こすことができる。
また日記作成者ではない他人であれば、その日記の作者が聴いていた音楽を聴きながら日記を閲覧することになり、より楽しく日記を閲覧することができたり、作者の音楽の好みや日記作成時の状況を想像することなどができる。
【００９２】
なお、ここではオーディオコンテンツファイルを記録メディア２５において検索するものとしたが、例えばホームネットワークなどでＰＣ本体２０がオーディオ機器等と接続されていれば、それらのオーディオ機器において再生可能なオーディオコンテンツファイルについても検索を行い、該当するオーディオコンテンツファイルが存在すれば、それを再生させるようにすることも可能である。
【００９３】
ところで、閲覧者が該当するオーディオコンテンツファイルを所有していない場合は、当然ながら再生させることはできない。
そこで、ステップＦ８０４で該当するオーディオコンテンツファイルが見つからないと判断された場合は、ステップＦ８０６で、ネットワーク１０を介して該当するオーディオコンテンツファイルを音楽販売サイト上で検索する。即ちユーザーがオーディオコンテンツファイルの配信を受けることができるサイトで、該当するオーディオコンテンツファイルの提供を受けることができるか否かを判断することになる。オーディオコンテンツファイルの提供を受けるとは、ユーザーが音楽配信により購入することや、或いは無料の音楽配信としてダウンロードする場合などである。さらにはＣＤ（Compact Disc）、ＤＶＤ（Digital Versatile Disc）などのパッケージメディアにより購入できる場合を含めてもよい。
【００９４】
ステップＦ８０６での検索により該当するオーディオコンテンツファイルの販売サイトが見つかった場合は、ステップＦ８０８でその販売サイトのＵＲＬ（Uniform Resource Locator）を取得する。そしてステップＦ８０９で、該ＵＲＬにアクセスし、販売サイトの画像をモニタ装置１３に表示させ、ユーザーに提示する。つまりユーザーに販売サイトを紹介し、ユーザーの意志によってオーディオコンテンツファイルのダウンロードができるようにする。
従って日記閲覧者は、日記に貼付されていた音楽を聴きたいと思った場合など、簡易にそのオーディオコンテンツファイルを入手できる状況となる。
【００９５】
［８．実施の形態の効果、変形例及びプログラム］
以上、実施の形態を説明してきたが、実施の形態によれば、電子日記データをユーザーが作成した際に、自動的にユーザーが聴いていた音楽等についての音楽関連データが貼付される。これによって日記データを閲覧するときに曲名等の音楽関連データが共に提示されるため、日記データの付加価値を高めることができる。
例えば日記作成者が後に日記を閲覧したときに、音楽関連データ表示３２０等により、日記作成時に聴いていた音楽を知ることで、当時の状況や感情を思い起こすことなどができる。
また日記データ上に貼付された音楽関連データに対する指定操作（クリック操作）により、その音楽関連データによって示される音楽等が再生されたり、或いは音楽販売サイト等から入手できるようにすることで、貼付された音楽関連データの利用価値が高まるとともに、日記閲覧の楽しみも向上される。
【００９６】
第１の実施の形態によれば、日記作成時にＰＣ本体２０で再生していた音楽の音楽関連データが日記データに自動的に貼付される。
さらに第２、第３の実施の形態の処理を行えば、日記作成時に外部のオーディオプレーヤ８０で音楽を再生させていた場合でも、その音楽の音楽関連データを日記データに自動的に貼付できることになる。
特に第２の実施の形態の処理を行うためには、本発明のオーディオ再生装置に相当するオーディオプレーヤ８０は有用な装置となる。
第４，第５の実施の形態によれば、日記に貼付した写真の撮像時に聴いていた音楽の音楽関連データについて、適切に日記データに貼付することができる。
【００９７】
なお、本発明としては多様な変形例が考えられる。
実施の形態では、パーソナルコンピュータにおいて本発明のデータ処理装置、データ処理方法が実現される例を説明したが、他の多様な機器で本発明は実現可能である。例えば携帯用のパーソナルコンピュータ、ＰＤＡ（Personal Digital Assistant）、携帯電話機などであっても本発明は実施可能である。
【００９８】
音楽関連データとしては、曲名、アルバム名、アーティスト名、作詞作曲者名、歌詞の一部テキスト、オーディオデータ自体、オーディオデータの一部などが考えられるが、これ以外も多様に想定できる。再生される楽曲に関連するデータであれば、どのようなものでも良い。
また音楽関連データとして説明し、オーディオコンテンツファイルは楽曲であるとした例で説明したが、もちろん楽曲に限られない。例えば、小説等の朗読音声、講演音声、落語等の芸能音声、風の音、波の音などの自然音などがオーディオコンテンツファイルとして記録されており、日記データ作成時や写真撮像時にユーザーが再生させていた場合、それらに関連するデータが日記データに貼付されればよい。
【００９９】
また日記作成時に再生していた音楽等の判断のタイミングは多様である。例えば日記作成完了時（図２のステップＦ１０２の登録操作検出時）に再生されていた曲としても良いし、日記作成を開始したときに再生されていた曲としても良い。さらには日記作成開始時から完了時までの間に再生された全ての曲の音楽関連データを貼付しても良い。
【０１００】
また、日記データに貼付する写真は静止画の撮像データであるとして説明したが、動画データの場合も考えられる。即ちデジタルビデオカメラで撮像した動画データを日記データに貼付する場合に、その撮像時に再生していた音楽等のオーディオ関連データを日記に貼付するようにしてもよい。
【０１０１】
電子データの例として電子日記データを挙げたが、電子日記に限らずユーザーが作成する各種の電子データを対象として本発明を適用できる。
例えば日記以外の文書としての作文、随筆、小説、紹介文等のテキストデータ、図面、図形データ、グラフィックデータ、統計、表計算データ、電子メールデータ、インターネット上の電子掲示板への書込データ、ホームページの更新データなど、多様な電子データについて、その作成時に聴いていたオーディオ関連データを貼付することが考えられる。従って本発明のプログラムは、日記データ作成用のアプリケーションプログラムのみでなく、文書作成アプリケーション、グラフィックエディタ、図面作成アプリケーション、表計算アプリケーション、インターネットブラウザ、電子メール作成アプリケーションなどとしての多様なプログラムにおいて適用可能である。
【０１０２】
本発明のプログラムは、電子データ作成時にユーザーが聴いていた音楽等のオーディオ関連情報を、作成した電子データに貼付する処理を実行させるプログラムであり、例えば図２，図１１、図１４、図１７、図１８で説明した処理を実行させるプログラムである。さらに本発明のプログラムは、電子データに貼付されたオーディオ関連データが選択操作されたときの処理として例えば図２３の処理を実行させるプログラムである。
このような本発明のプログラムは、コンピュータシステム等のデータ処理装置における記録媒体としてのシステムＨＤＤや、ＣＰＵを有するマイクロコンピュータ内のＲＯＭ等に予め記録しておくことができる。
あるいはまた、プログラムは、フレキシブルディスク、ＣＤ−ＲＯＭ(Compact Disc Read Only Memory)、ＭＯ(Magnet optical)ディスク、ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。例えばＣＤ−ＲＯＭ、ＤＶＤ−ＲＯＭ等により提供されることで、コンピュータシステムにインストールできる。またプログラムは、リムーバブル記録媒体からインストールする他、ダウンロードサイトから、ＬＡＮ(Local Area Network)、インターネットなどのネットワークを介してダウンロードすることもできる。
【図面の簡単な説明】
【０１０３】
【図１】本発明の実施の形態のシステム構成のブロック図である。
【図２】第１の実施の形態の日記作成時の処理のフローチャートである。
【図３】日記閲覧画面の説明図である。
【図４】実施の形態の日記作成用画像の説明図である。
【図５】実施の形態の音楽関連データが貼付された日記画像の説明図である。
【図６】実施の形態の音楽関連データが貼付されていない日記画像の説明図である。
【図７】実施の形態のオーディオプレーヤを加えたシステム構成のブロック図である。
【図８】第２の実施の形態で用いる聴取データの説明図である。
【図９】第２の実施の形態のオーディオプレーヤの処理のフローチャートである。
【図１０】第２の実施の形態のオーディオプレーヤとＰＣ本体の通信時の処理のフローチャートである。
【図１１】第２の実施の形態の音楽関連データ貼付処理のフローチャートである。
【図１２】実施の形態のユーザーの選択のためのウインドウの説明図である。
【図１３】写真が貼付された日記画像の説明図である。
【図１４】第４の実施の形態の音楽関連データ貼付処理のフローチャートである。
【図１５】実施の形態の日記に貼付した写真に音楽関連データが貼付された状態の説明図である。
【図１６】実施の形態の日記に貼付した写真に音楽関連データが貼付された状態の説明図である。
【図１７】第５の実施の形態の日記作成時の処理のフローチャートである。
【図１８】第５の実施の形態の写真の音楽関連データに関する処理のフローチャートである。
【図１９】音楽関連データを写真に貼付するカメラ装置の構成のブロック図である。
【図２０】カメラ装置の音楽関連データを写真に貼付する処理のフローチャートである。
【図２１】カメラ装置での撮像データファイルの説明図である。
【図２２】実施の形態の音楽関連データの選択の事前設定画像の説明図である。
【図２３】実施の形態の日記閲覧時の処理のフローチャートである。
【符号の説明】
【０１０４】
１  ブログサーバ、１０  ネットワーク、２０  ＰＣ本体、２１  ＯＳ、２２  再生アプリケーション、２３  日記作成・閲覧アプリケーション、２４  記録再生部、２５  記録メディア、２６，２７  通信部、２８  音楽データ同期アプリケーション、８０  オーディオプレーヤ、８１  制御部
【図１】
2007011452.tif 000003
【図２】
2007011452.tif 000004
【図３】
2007011452.tif 000005
【図４】
2007011452.tif 000006
【図５】
2007011452.tif 000007
【図６】
2007011452.tif 000008
【図７】
2007011452.tif 000009
【図８】
2007011452.tif 000010
【図９】
2007011452.tif 000011
【図１０】
2007011452.tif 000012
【図１１】
2007011452.tif 000013
【図１２】
2007011452.tif 000014
【図１３】
2007011452.tif 000015
【図１４】
2007011452.tif 000016
【図１５】
2007011452.tif 000017
【図１６】
2007011452.tif 000018
【図１７】
2007011452.tif 000019
【図１８】
2007011452.tif 000020
【図１９】
2007011452.tif 000021
【図２０】
2007011452.tif 000022
【図２１】
2007011452.tif 000023
【図２２】
2007011452.tif 000024
【図２３】
2007011452.tif 000025